(57)【特許請求の範囲】
【請求項１】
上部に出し入れ口を有した直方体状の外箱と、前記外箱にスライド可能に収容して前記出し入れ口で出入可能とされ、蓋下部が第一ヒンジを介して連結された開閉蓋を回動可能にして有する内箱とからなり、
上部が前記開閉蓋の後端に第二ヒンジを介して連結されて開閉蓋の回動に伴なって内箱に対し相対移動可能とされ、外箱内面に面する側に内箱係止手段を配した蓋起こし手段と、前記外箱の内側に位置し前記内箱係止手段と係合可能な外箱係止手段とを備え、
前記内箱の上昇により内箱係止手段と外箱係止手段とが係合し、内箱係止手段と外箱係止手段とが係合した状態での内箱上昇により蓋起こし手段が下方に移動して、前記開閉蓋が開方向に回動する構成とした開閉蓋付き包装容器において、
前記内箱の蓋起こし手段側となる側板には、該蓋起こし手段の周りに対応する部分が切り込み開口されていて、
この切り込み開口の一部分に、前記内箱係止手段の高さ位置より下方であって、外箱係止手段の降下下限位置に配された切り込み縁を上端縁とするストッパーが形成され、
前記外箱係止手段はストッパーの幅より幅広であって、前記内箱の上昇によりストッパーが近接する外箱係止手段のストッパー対応部分の少なくとも一部分が、ストッパーである前記切り込み縁に当接するものであることを特徴とする開閉蓋付き包装容器。
【請求項２】
上記内箱には、外箱係止手段の上記ストッパー対応部分を、ストッパーに向けて案内する案内手段が設けられている請求項１に記載の開閉蓋付き包装容器。
【請求項３】
上記案内手段は上記蓋起こし手段に備えられていて、該案内手段が内箱の内面に摺接可能に接して、内箱の上昇により前記ストッパーに近接する内箱係止手段を、ストッパーに向けて案内するものである請求項２に記載の開閉蓋付き包装容器。
【請求項４】
上記案内手段は、内箱係止手段を内箱内方側に向けて付勢している請求項２または３に記載の開閉蓋付き包装容器。
【請求項５】
上記内箱の蓋起こし手段がある側板の内面に、蓋起こし手段とこの蓋起こし手段の周りにある切り込み開口とを覆う当て板が配されている請求項１から４の何れか一項に記載の開閉蓋付き包装容器。
【請求項６】
上記外箱の胴部に、内箱の一部分が表出してこの内箱表出部分に対するすり上げ操作が可能とされたスライド操作口が開口している請求項１から５の何れか一項に記載の開閉蓋付き包装容器。
【発明の詳細な説明】
【技術分野】
【０００１】
本発明は開閉蓋を有し、棒状や板状の個包装された小菓子や紙巻きたばこなどの小物を収納する包装容器に関するものである。
【背景技術】
【０００２】
従来から、棒状や板状の個包装されたチョコレート菓子や紙巻きたばこを取り出し部分から摘み出しできるように収納する紙製の包装容器が多くあり、その内、紙巻きたばこを収納するものには、開閉蓋で取り出し部分を覆う紙製の包装容器がある。
【０００３】
上述した煙草製品の用途に用いられる開閉蓋付きの包装容器としては、容器上部を開閉蓋として構成し、手でその開閉蓋を直接開け閉めするタイプのものが多く流通している（特許文献１参照）。またその他に、包装容器が、上下が開放された角筒状の外箱や有底で上部が出し入れ口として開放された直方体状の外箱と、この外箱に収容される開閉蓋付きの内箱とからなるものがある。そして、内箱の上げ下げに連動して開閉蓋が開閉するようにした包装容器も数々提案されている。
【０００４】
開閉蓋が内箱の上げ下げに応じて開閉する形式の包装容器は、開閉蓋に連接した蓋起こし部材が設けられているとともに、外箱にも出し入れ口から内方に折り返された係止部材を設けている。そして、内箱の上昇に伴なって蓋起こし部材も外箱の内面に摺接しながら上昇し、外箱の係止部材に係合する。さらに両部材の係合を保った状態で内箱が上昇することで開閉蓋が蓋起こし部材に引っ張られてヒンジ部分を中心にして開くようになるものである。また、開閉蓋の閉鎖では、外箱の内部に入るように下げる際に、蓋起こし部材の上部（開閉蓋側）や開閉蓋の後板部分が外箱の出し入れ口の開口縁に当接して押し起こされ、これによって開閉蓋が閉じるようになる構成を有したものである。（例えば、特許文献２、３、４参照）
【先行技術文献】
【特許文献】
【０００５】
【特許文献１】特開平０８−０５８７７７号公報
【特許文献２】国際公開第２００７／０６５５１４号パンフレット
【特許文献３】国際公開第２００７／１２２２００号パンフレット
【特許文献４】特開２００９−２９２５１６号公報
【発明の概要】
【発明が解決しようとする課題】
【０００６】
ところで、内箱の上げ下げに応じて開閉蓋が開閉するようにした特許文献２〜４に示された包装容器ではつぎに示す不具合が生じ易いものであった。その点を以下に説明する。図２８〜図３１は、包装容器ａにおける内箱ｂが外箱ｃの内部から上方にスライドし、内箱ｂの上端部にある開閉蓋ｄがその上昇に応じて開く一般的な容器形態を示していて、包装容器ａでの蓋起こし手段ｅと外箱側の係止手段ｆとの係合を概略的に図示している。前記蓋起こし手段ｅは、内箱ｂの包装材料を切り抜き形成した略板状体であって、この蓋起こし手段ｅが相対する外箱ｃの胴部ｇの側板ｈ側に折り返して係止できる部分を下部に有してなるものである（図２８）。また、外箱側の係止手段ｆは、外箱ｃの前記側板ｈにおける出し入れ口ｉ側の上端縁に連続する舌片を内箱ｂ側に向けて折り返してなるもの（図２９）とするのが一般的であった。
【０００７】
そして、開閉蓋ｄを開く場合には、例えば外箱ｃの胴部ｇに図示していないスライド操作口（特許文献４参照）を通して指先を用いて内箱ｂをすり上げるようにする。このすり上げによるスライド操作で、蓋起こし手段ｅにおける折り返された下部ｊと外箱側の係止手段ｆとが係合し、上述したようにこの外箱側の係止手段ｆに係合した蓋起こし手段ｅが、上方に向けてスライド移動する内箱ｂに対して相対的に降下する形で開閉蓋ｄを引き起こし、内箱ｂの上部である収納物の取り出し口部分が開くようにしている（図３０〜図３２）。
【０００８】
しかしながら、蓋起こし手段には、外箱側の係止手段に係合して内箱に対して相対的に降下する際に引っ張り力が生じ、この引っ張り力が生じた蓋起こし手段が外箱の出し入れ口側の開口辺ｋに当接して、この開口辺ｋを外方に撓むように容器内方から押すことになる（図３２の横向き矢印の方向）。そして、その外箱側の係止手段がある胴部の側板が膨らむように変形して、外箱側の係止手段がある側板と内箱との間の隙間が広がり、蓋起こし手段の下部も外箱の前記側板ｈ側に近接するようになる。
【０００９】
上記隙間が広くなった状態で内箱が上方にスライドする結果、図３２の下向き矢印で示すように蓋起こし手段ｅの下部ｊが、さらに内箱ｂの外面側を相対的に下がるように移動することが可能となってしまい、内箱の取り出し口が十分に開いているにも拘わらず、内箱ｂが必要以上に上方にスライド操作される。そして、必要以上の内箱の上昇移動によって内箱の上端と開閉蓋とを繋ぐヒンジ部分や、蓋起こし手段の上部が連接されている開閉蓋との連続部分などに応力が集中して裂けが生じるという問題があった。
【００１０】
上記特許文献３に示された包装容器では、内箱の後板に、その後板を切り込み形成して対の折り返し片を設け、相対的に降下移動する蓋起こし手段の折り返された下部を受け止めることを目的とした構造を有している。しかしながら、この包装容器にあっても、開閉蓋となる部分の後辺に連続している蓋起こし手段に上述の引っ張り力が生じて、外箱の胴部の側板が膨らむように変形させ易いものであることには変わりがない。そして、外箱側の係止手段がある外箱の側板と内箱との間の隙間が開いて、蓋起こし手段の下部が外箱の前記側板側に近接すると、折り返し片との係合が形成できなくなる。また、蓋起こし手段の下部が外箱の前記側板側に近接する動きによって、折り返し片が折り戻されてしまい、蓋起こし手段の下部を受け止めできなくなるという可能性がある。
【００１１】
そこで本発明は上記事情に鑑み、蓋起こし手段と外箱係止手段とが係合した状態で内箱を上昇させ、開閉蓋が開方向に回動して収納部分が開いた内箱が上方に進み出るようにした上記包装容器の有用な点を活かしつつ、内箱の上昇により相対的に降下する外箱係止手段を、降下下限位置とする部分に当接させて、すり上げ操作がされても内箱が必要以上に外箱から上昇しないようにすることを課題として、開閉蓋の回動中心となるヒンジ部分の破損を防止することを目的とするものである。
【課題を解決するための手段】
【００１２】
（請求項１の発明）
本発明は上記課題を考慮してなされたもので、上部に出し入れ口を有した直方体状の外箱と、前記外箱にスライド可能に収容して前記出し入れ口で出入可能とされ、蓋下部が第一ヒンジを介して連結された開閉蓋を回動可能にして有する内箱とからなり、
上部が前記開閉蓋の後端に第二ヒンジを介して連結されて開閉蓋の回動に伴なって内箱に対し相対移動可能とされ、外箱内面に面する側に内箱係止手段を配した蓋起こし手段と、前記外箱の内側に位置し前記内箱係止手段と係合可能な外箱係止手段とを備え、
前記内箱の上昇により内箱係止手段と外箱係止手段とが係合し、内箱係止手段と外箱係止手段とが係合した状態での内箱上昇により蓋起こし手段が下方に移動して、前記開閉蓋が開方向に回動する構成とした開閉蓋付き包装容器において、
前記内箱の蓋起こし手段側となる側板には、該蓋起こし手段の周りに対応する部分が切り込み開口されていて、
この切り込み開口の一部分に、前記内箱係止手段の高さ位置より下方であって、外箱係止手段の降下下限位置に配された切り込み縁を上端縁とするストッパーが形成され、
前記外箱係止手段はストッパーの幅より幅広であって、前記内箱の上昇によりストッパーが近接する外箱係止手段のストッパー対応部分の少なくとも一部分が、ストッパーである前記切り込み縁に当接するものであることを特徴とする開閉蓋付き包装容器を提供して、上記課題を解消するものである。
【００１３】
（請求項２の発明）
そして、本発明において、上記内箱には、外箱係止手段の上記ストッパー対応部分を、ストッパーに向けて案内する案内手段が設けられていることが良好である。
【００１４】
（請求項３の発明）
また、本発明において、上記案内手段は上記蓋起こし手段に備えられていて、該案内手段が内箱の内面に摺接可能に接して、内箱の上昇により前記ストッパーに近接する内箱係止手段を、ストッパーに向けて案内するものであることが良好である。
【００１５】
（請求項４の発明）
また、本発明において、上記案内手段は、内箱係止手段を内箱内方側に向けて付勢していることが良好である。
【００１６】
（請求項５の発明）
また、本発明において、上記内箱の蓋起こし手段がある側板の内面に、蓋起こし手段とこの蓋起こし手段の周りにある切り込み開口とを覆う当て板が配されていることが良好である。
【００１７】
（請求項６の発明）
また、本発明において、上記外箱の胴部に、内箱の一部分が表出してこの内箱表出部分に対するすり上げ操作が可能とされたスライド操作口が開口していることが良好である。
【発明の効果】
【００１８】
（請求項１の発明の効果）
本発明によれば、ストッパー幅より幅広である外箱係止手段にあっては、この外箱係止手段のストッパー対応部分がストッパーである切り込み縁に当接するものとされている。このように前記ストッパーが内箱の側板での切り込み縁に当接するものであるため、内箱の上昇により外箱係止手段に係合した蓋起こし手段がその内箱に対して相対的に降下して、外箱係止手段が降下下限位置に達したときにこの外箱係止手段がストッパーの切り込み縁に当接した際に、内箱が必要以上に上昇せず、上述したような開閉蓋のヒンジ部分での破損を防止できる。また、外箱係止手段が前記切り込み縁に当接したときの感触（突き当て感）が、この包装容器での内箱をすり上げ操作している指先に伝わり、内箱をすり上げる限界が明確に知ることができる。よって、不必要なすり上げ操作を無くすことができるなど、包装容器の使い勝手が頗る向上する。
【００１９】
（請求項２の発明の効果）
請求項２の発明によれば、内箱には、該内箱の上昇により前記ストッパーに近接する外箱係止手段のストッパー対応部分を、ストッパーに向けて案内する案内手段が設けられているので、降下下限位置に降下した外箱係止手段とストッパーとの当接をより確実に行なわせることができるという効果を奏する。
【００２０】
（請求項３の発明の効果）
請求項３の発明によれば、上記案内手段は上記蓋起こし手段に備えられていて、内箱の内面に摺接可能に接しており、内箱の上昇により前記ストッパーに近接する内箱係止手段を、ストッパーに向けて案内するものであることから、案内手段を蓋起こし手段に備え付けることにより、外箱や内箱とは別部材となるものを用いずに蓋起こし手段自体の形成に際してこの案内手段を共に得ることができ、案内手段の作成が容易になる。
【００２１】
（請求項４の発明の効果）
請求項４の発明によれば、上記案内手段は、内箱係止手段を内箱内方側に向けて付勢しているので、内箱係止手段が受け止めている外箱係止手段のストッパー対応部分とストッパーとの当接がより確実になる。
【００２２】
（請求項５の発明の効果）
請求項５の発明によれば、上記内箱の蓋起こし手段がある側板の内面に、上記蓋起こし手段とこの蓋起こし手段周りを切り込んでなる開口とを覆う当て板が配されているので、上昇する内箱に対して相対的に降下する外箱係止手段やこの外箱係止手段に係合して降下する蓋起こし手段と収納物との干渉を確実に防止するようになり、外箱係止手段や蓋起こし手段の動きが適正に保たれるとともに、外箱係止手段と内箱係止手段との係合に支障を来すような障害物が内箱から外箱側に漏れ出るのを防止できる。
【００２３】
（請求項６の発明の効果）
請求項６の発明によれば、上記外箱の胴部に、内箱の一部分が表出してこの内箱表出部分に対するすり上げ操作が可能とされたスライド操作口が開口しているので、内箱の上げ下げ操作を包装容器を保持している手の指先で行なえるようになり、包装容器から収納物を取り出す操作が簡単になるなどの優れた効果を奏する。
【図面の簡単な説明】
【００２４】
【図１】第一の実施の形態での開閉蓋の閉じ状態を上方から見た状態で示す説明図である。
【図２】第一の実施の形態における内箱を示す説明図である。
【図３】同じく内箱の蓋起こし手段と当て板とを示す説明図である。
【図４】同じく内箱において降下した内箱係止手段と内箱係止手段に係合する外箱係止手段とを示す説明図である。
【図５】第一の実施の形態における外箱を示す説明図である。
【図６】第一の実施の形態において外箱に内箱が収容され開閉蓋が伏して出し入れ口が閉鎖された状態を示す説明図である。
【図７】第一の実施の形態において内箱が上昇して蓋起こし手段と外箱係止手段とが係合した状態を示す説明図である。
【図８】第一の実施の形態において開閉蓋が開いた状態を示す説明図である。
【図９】第一の実施の形態において内箱上昇に際しての内箱係止手段に対する外箱係止手段の相対移動を示す説明図である。
【図１０】第一の実施の形態において外箱係止手段とストッパーとの当接を示す説明図である。
【図１１】第一の実施の形態における外箱のブランクを示す説明図である。
【図１２】第一の実施の形態における内箱のブランクを示す説明図である。
【図１３】第二の実施の形態における蓋起こし手段と案内手段とを示す説明図である。
【図１４】第二の実施の形態における外箱のブランクを示す説明図である。
【図１５】第二の実施の形態における内箱のブランクを示す説明図である。
【図１６】第三の実施の形態における蓋起こし手段と案内手段とを示す説明図である。
【図１７】第三の実施の形態における外箱のブランクを示す説明図である。
【図１８】第三の実施の形態における内箱のブランクを示す説明図である。
【図１９】第四の実施の形態における蓋起こし手段と案内手段とを示す説明図である。
【図２０】第四の実施の形態における外箱のブランクを示す説明図である。
【図２１】第四の実施の形態における内箱のブランクを示す説明図である。
【図２２】第五の実施の形態における蓋起こし手段と案内手段とを示す説明図である。
【図２３】第五の実施の形態における外箱のブランクを示す説明図である。
【図２４】第五の実施の形態における内箱のブランクを示す説明図である。
【図２５】第六の実施の形態における蓋起こし手段と案内手段とを示す説明図である。
【図２６】第六の実施の形態における外箱のブランクを示す説明図である。
【図２７】第六の実施の形態における内箱のブランクを示す説明図である。
【図２８】従来例における内箱における蓋起こし手段を後方から見た状態で示す説明図である。
【図２９】従来例における外箱における出し入れ口の係止手段を示す説明図である。
【図３０】従来例において外箱内に内箱が収容された状態を示す説明図である。
【図３１】従来例において外箱から内箱が上昇する状態を示す説明図である。
【図３２】従来例において開閉蓋が開いた状態を示す説明図である。
【発明を実施するための形態】
【００２５】
つぎに本発明を図１から図２７に示す実施の形態に基づいて詳細に説明する。なお、実施の形態は収納物を紙巻きたばことした用途に用いる包装容器を例示している。
図１から図１２は第一の実施の形態を示している。図中１は本発明に係る開閉蓋付きの包装容器で、該包装容器１は一枚のブランクを組み起こして形成された紙製の外箱２と同じく一枚のブランクを組み起こして形成された紙製の内箱３とからなるものである。
【００２６】
（外箱：図５）
外箱２は有底で上部に出し入れ口４を有した直方体形状とされ、胴部周りに前側板５、右側板６、後側板７、左側板８が連続し、各側板の下端に底面板９を連続させている。そして前記外箱２は、内箱３をスライド可能に収容して内箱３の上部側が出し入れ口４から出入可能としており、外箱２の胴部における前側板５から一方の右側板６にかけてスライド操作口１０が開口されている。前記スライド操作口１０から内箱３の一部分が表出していて、内箱３の表出部分を指先ですり上げたり、すり下げたりすることで内箱３を上げ下げできるようにしている。
【００２７】
（内箱：図２〜４）
外箱２にスライド可能に収容される内箱３も同様に有底の直方体形状とされていて、上部を収納物の取り出し口１１とし、外箱２内に没した状態での取り出し口１１の上方を覆う開閉蓋１２を有している（図２参照）。この内箱３は、胴部周りに前側板１３、右側板１４、後側板１５、左側板１６が連続し、底面板１７が胴部の各側板の下端に連続していて、有底で上部を前記取り出し口１１としている。前側板１３は上端部の中央が落ち込んだ形状としている。また、右側板１４と左側板１６とはそれぞれの上端部が前記前側板１３の上端部より上方に位置する形状としている。さらに前記後側板１５の上端部にあっては左右端部側それぞれを残して下部側に向けて切り込まれている（この切り込まれて開口されている部分に後述の蓋起こし手段が配されている）。
【００２８】
図２に示すように内箱３の開閉蓋１２は天面板１８の後端部両側に後側板１９が連続しているとともに、天面板１８の側部には右側板２０、左側板２１が連続していて、それぞれが前記後側板１９に連続している。そして、後側板１９それぞれの下部と、内箱本体部分の上記後側板１５の上方に凸となった上端部との間に第一ヒンジ２２が形成されており、開閉蓋１２が第一ヒンジ２２を介して内箱３の内箱本体部分に回動可能にして連接されている。紙巻きたばこを収納する用途に用いる本包装容器１では、外箱２と組み合わされた形態で内箱３の取り出し口１１の閉時には、内箱３の左右側板１４、１６の上部と開閉蓋１２の左右側板２０、２１とが重なり合い、葉くずが伏した開閉蓋１２の側方から漏れ出し難くしている。
【００２９】
（外箱と内箱の係止手段）
上述したように外箱２と、この外箱２にスライド可能に収容された内箱３とを備える包装容器１は、内箱３の上げ下げに応じて上記開閉蓋１２が開閉するものであって、内箱３の上昇に連動して開閉蓋１２が開方向に回動する仕組みを有しているものである。まず、内箱３は蓋起こし手段２３を有している。この蓋起こし手段２３は、内箱３のブランクで示すように開閉蓋１２の後端辺に、第一ヒンジ２２よりも上方に位置した第二ヒンジ２４を介して連結されていて、開閉蓋１２側からの切り込みにより形成された後側板１５の開口部分までに亘って延設され、下部が外箱２の後側板７側に折り返された形状を有している。
【００３０】
蓋起こし手段２３の形状について概略的に説明すると、この蓋起こし手段２３は、内箱３のブランクの形態で示すように開閉蓋１２の後端から内箱３の後側板１５までに亘って切り込み形成されていて、更に下部が外箱２の後側板７側に折り返えされていて、これを内箱係止手段２５として形成している。さらに前記蓋起こし手段２３の周りに前記切り込みによる開口が形成されていて、この開口の部分が開閉蓋１２の後端部からの切り込みに連続している。そのため、蓋起こし手段２３と内箱３の後側板１５とが直接に繋がっている部分は無く、開閉蓋１２の回動に伴ってこの蓋起こし手段２３が上がり下がりすることができる。
【００３１】
即ち、第一ヒンジ２２を中心とした開閉蓋１２の回動と蓋起こし手段２３の上げ下げとが連動するように設けられており、開閉蓋１２が開方向に回動すると、前記蓋起こし手段２３は内箱３の後側板１５に対して相対的に下方に移動するものである（図９、図１０）。折り返しを行なった内箱係止手段２５の形状は、後述する外箱係止手段を受け止めるものであればよく、以下の各実施の形態に見られるように折りによって鈎状の部位が形成できるものであればよい。
【００３２】
一方、外箱２にあっては後側板７の上端部に連続した舌片を外箱２の内方に向けて折り倒してこれを外箱係止手段２６としており、内箱３が上方にスライドする際に前記後側板７の内面側に一部分を摺接させながら上昇する蓋起こし手段２３にこの外箱係止手段２６が係合するように設けられている（図９、図１０）。蓋起こし手段２３の折られた内箱係止手段２５に外箱係止手段２６の下縁部分が入り込むようにして係止し合い、蓋起こし手段２３と外箱係止手段２６とが係合した状態で内箱３の上昇を続けることで、蓋起こし手段２３が内箱の本体部分に対して相対的に下がる形となり、第二ヒンジ２４を介して開閉蓋１２の後端部が引っ張られ、第一ヒンジ２２を中心として開方向に開閉蓋１２が回動する（図６〜図８）。
【００３３】
上記蓋起こし手段２３には、外箱係止手段２６と係合した状態で外箱２の後側板７の上端部に対応位置する部分に第三ヒンジ２７が設けられている。前記第三ヒンジ２７は開閉蓋１２が開方向に回動するときに蓋起こし手段２３がこの第三ヒンジ２７の位置で折れるようにしているものであり、第三ヒンジ２７の折れにて開閉蓋１２の回動がスムーズに行なわれる。
【００３４】
（係止手段）
図９、図１０は内箱３の後側板１５を容器外方から見た状態での上記蓋起こし手段２３を示している。図示されているように蓋起こし手段２３では上記第三ヒンジ２７の下において両側に脚状部２８があり、脚状部２８の下縁間に亘るようにして内箱係止手段２５が配置されている。前記内箱係止手段２５は、脚状部２８の下縁にある折り罫から蓋起こし手段２３の下端部を外箱２の後側板７側に折り返してなるものであり、中央の凸部分が外箱２の後側板７の内面に摺接可能に当接する。そして、内箱３を上昇させていない場合には、内箱係止手段２５と外箱係止手段２６とは、容器高さ方向において上下に離れて非係合状態であり、内箱３の上昇に伴って蓋起こし手段２３（内箱係止手段２５）が上方に移動することで外箱係止手段２６と係合する状態となる（図６〜図８）。
【００３５】
上述したように外箱２のスライド操作口１０を通したすり上げ操作で内箱３を上昇させることで、蓋起こし手段２３と外箱係止手段２６とが係合する。さらにこの係合状態で内箱３を上昇させることで蓋起こし手段２３は内箱３の後側板１５に対して相対的に降下するようになり、この蓋起こし手段２３によって開閉蓋１２が開く方向に引っ張られる。蓋起こし手段２３の内箱係止手段２５と外箱係止手段２６とは共に、上昇する内箱３の後側板１５に対して相対的に降下することとなる。そして、取り出し口１１の上方が全開となる角度まで開方向に開閉蓋１２が回動したときに、蓋起こし手段２３と外箱係止手段２６との降下を止める必要があり、その位置となる外箱係止手段２６の降下下限位置２９が予め設定されている。
【００３６】
内箱係止手段２５の高さ位置より下方には、蓋起こし手段２３の周りに開口を設けた切り込みの一部分である切り込み線を上端縁としたストッパー３０が切り込み形成されている。そして、前記ストッパー３０の上端縁である切り込み線が、内箱３に対しての上記外箱係止手段２６の降下下限位置２９に配されている。即ち、降下下限位置２９を上端縁とするストッパー３０が内箱３の後側板１５に設けられている。さらに、本実施の形態では、降下下限位置２９に向けて降りる外箱係止手段２６がストッパー３０に当接するように蓋起こし手段２３は案内手段３１を備えている。
【００３７】
（案内手段）
図２に示すように第一の実施の形態における上記案内手段３１は、蓋起こし手段２３の内箱係止手段２５の側部に一体にして設けられていて、内箱係止手段２５における一方の側端部に側方に向けて延設した凸状の片からなる。そして、前記案内手段３１は、蓋起こし手段２３の下部周りにある開口を形成した切り込みの内、蓋起こし手段２３の一側方にある縦の切り込み縁の位置から内箱３の後側板１５の内面側に位置するように延設していて、内箱３の後側板１５の内面に摺接可能にして係止している。
【００３８】
案内手段３１は、上記縦の切り込み縁から後側板１５の内面に対して摺接可能に係止していて、蓋起こし手段２３が上下移動するいずれの状態でも後側板１５に係止する。図示の例では縦の切り込み縁の下部に略レ状の形状となる凹所が形成されていて、この凹所は内箱係止手段２５と一体とされた案内手段３１を切り込み形成した際に生じた部分であるが、案内手段３１を係止させた状態で蓋起こし手段２３が上下方向に移動しても、前記凹所には案内手段３１が達することのないように設けられている。
【００３９】
上記案内手段３１は上述したように一方の側方の開口部分での開口縁に沿って後側板１５の内面に摺接移動できるように係止していて、少なくとも内箱係止手段２５の案内手段３１が位置している側を内箱３の内方側に位置させている。また、内箱係止手段２５自体は、外箱２の後側板７側であって且つ上方に向けて折り曲げて形成されており、折り位置からぴったりと脚状部２８に密接する状態とはならず、包装材料自体の復元力によって縦断面で略レ状に上方が開いた状態となる（図６〜図８参照）。
【００４０】
このように若干の折り戻りによって開いている内箱係止手段２５の一側部にある案内手段３１が蓋起こし手段２３の側方で後側板１５に係止しているので、案内手段３１が若干ながら後側板１５を内箱内方側から押圧する形となり、この点からも内箱係止手段２５の案内手段３１側が内箱３の内方側に位置するようにしている。よって、容器上方となる側から見て、内箱係止手段２５の案内手段３１側の端部が内箱内方側に位置し、内箱係止手段２５の他の部分（案内手段側以外の部分）が上記ストッパー３０の上を斜めに横切った配置となる。なお、後述する当て板で蓋起こし手段２３周りの開口を内箱内方側から覆ったとしても、案内手段３１は後側板１５に係止するものであり、内箱係止手段２５がストッパー３０の切り込み縁の上で交差する配置に置かれる（図６〜図８）。
【００４１】
（外箱係止手段とストッパー）
内箱３が外箱２から上方には上昇していないときに上記開閉蓋１２は外箱２の出し入れ口４の位置にあって閉じている。そして、上述したように内箱係止手段２５と外箱係止手段２６とは上下に離れていて、係合していない状態である（図６）。上述したように内箱係止手段２５は若干開いて、その中央の凸部分が外箱２の後側板７の内面に摺接可能に接している。
【００４２】
外箱係止手段２６も後側板７の上端部の部分の折り戻りの作用を受けて内箱３の後側板１５側に向けて開くように付勢された状態となって、内箱３がセットされても若干開くように設けられている。加えて、その外箱係止手段２６の下部中央の部分が、蓋起こし手段２３における上記脚状部２８の間の開口部分に位置して、前記下部中央の部分が僅かならも内箱の内方に向けて偏倚し易いように設けられている。
【００４３】
上述したように蓋起こし手段２３の折り返されてなる内箱係止手段２５が外箱２側であって上方に僅かに開き、下向きに折られた舌片からなる外箱係止手段２６が内箱３側であって下方に僅かに開いているため、内箱３を上昇させることにより両係止手段の中央となっている部分が相互に相手の係止手段内に入り込むようになる（図７）。
【００４４】
さらに蓋起こし手段２３が備える案内手段３１が内箱３の後側板１５の内面側に位置していて、内箱３の後側板１５の外面側を相対的に降下する外箱係止手段２６が、内箱係止手段２５の内側に入り込むようにするために、外箱係止手段２６には、前記案内手段３１が内箱３の内側に入り込む部位に対応して下向きに開いたカット部３２が設けられている。
【００４５】
そして、内箱３の上昇に伴って内箱係止手段２５と外箱係止手段２６とが相対し、上記カット部３２に内箱係止手段２５における案内手段３１側の部分が交差するようにして入り込みながら、内箱係止手段２５に外箱係止手段２６が係合する（図８）。
【００４６】
外箱係止手段２６には上述したように内箱３側に開く方向で押す若干の力が生じており、図示するように外箱係止手段２６の下部の中央部分が内箱係止手段２５の中央部分に対応していることから、外箱係止手段２６における内箱係止手段２５に対応する部分が内箱係止手段２５とともに内箱３の内方に向けて僅かながら移動した状態となる。加えて、上記案内手段３１によって内箱係止手段２５の一部分が予め内箱３の内方側に寄った状態となって外箱係止手段２６をストッパー３０側に向けて案内するものであるので、外箱係止手段２６の下部の中央部分は内箱３の内方に向けての移動量が僅かではあるが確実に内箱内方に寄った状態で移動する。
【００４７】
さらに内箱３を上昇させると、蓋起こし手段２３（内箱係止手段２５）と外箱係止手段２６とが内箱３の後側板１５に対して相対的に降下し、開閉蓋１２が開方向に回動し始める。そして、内箱係止手段２５と外箱係止手段２６とは降下して上記ストッパー３０の高さ位置に近づく。外箱係止手段２６は外箱２の後側板７の幅と同じ幅とされていて、前記ストッパー３０の幅より幅広であるが、外箱係止手段２６のストッパー対応部分３３は内箱係止手段２５に係止していて、上述した外箱係止手段２６自体の若干の開きや上記案内手段３１の働きによって内箱係止手段２５がストッパー３０に交差する配置、或いは内箱内方側に位置した状態でストッパー３０に近接するようになり、外箱係止手段２６のストッパー対応部分３３もその一部分がストッパー３０を形成している切り込み縁に交差する配置でストッパー３０に近接する（図９）。
【００４８】
内箱３の上昇に伴って後側板１５（内箱３）に対して相対的に降下する外箱係止手段２６のストッパー対応部分３３が、ストッパー３０である切り込み縁に当接すると、外箱係止手段２６の降下が止められる（図１０）。即ち、内箱３の上昇が規制されて止められ、上記スライド操作口１０からすり上げ操作を行なっても内箱３を上昇させることができない。この時点では開閉蓋１２は内箱３の取り出し口１１の上方を覆わずに全開した状態で開方向の回動も停止する。
【００４９】
上記ストッパー３０は、蓋起こし手段２３の周りに開口を形成してこの蓋起こし手段２３が後側板１５に対して単独で上下に移動できるようにするための切り込みの一部分であり、上述のように外箱係止手段２６の降下下限位置に配された切り込み縁を上端部としてなるものであるため、ストッパー自体の構成が極めて簡単であって形成が容易である。そして、外箱係止手段２６の相対的な降下を止めて内箱３の不必要な上昇が生じないように規制する重要な働きをするこのストッパー３０を切り込み縁だけで得られる構成であるので、従来製品で説明したような内箱３の不必要な上昇操作による蓋起こし手段の上部周りや第一ヒンジ周りでの破損を別部材などを用いずに防止できるようになる。
【００５０】
上記実施の形態において内箱３の後側板１５の内面側には上述した当て板３４が配置されていて（図３）、蓋起こし手段２３とその周りを切り込んでなる開口とを覆い、蓋起こし手段２３や内箱係止手段２５を隠蔽して包装容器内の美観を整えるとともに、収納物が蓋起こし手段２３や外箱係止手段２６と干渉することがないように図られている。なお、図６〜図８にあっては、蓋起こし手段２３における内箱係止手段２５と外箱係止手段２６との係合、及びその移動を説明し易くするために、当て板３４についてはこれを図示していない。
【００５１】
また、当て板３４は内箱係止手段２５が大きく内箱３の内方側に入り込むことを防止するものであり、内箱３の上昇と降下に際して蓋起こし手段２３は当て板３４の外面に摺接可能である。そして、当て板３４が内箱３の後側板１５の内面に接する状態を維持するために、この当て板３４の両側には袖板３５が連接されている。この袖板３５は、内箱３の左右の側板１４、１６の幅に応じた張り出し長さがあり、この袖板３５が左右の側板１４、１６の内面に沿って前側板１３に当接して、前記当て板３４を後側板１５の内面側に接しさせている。
【００５２】
なお、上記外箱係止手段２６が内箱３側に開いて蓋起こし手段２３や内箱係止手段２５を内箱内方側に押す力は大きくなく、ストッパー対応部分３３が内箱係止手段２５を伴って大きく内箱内方側に入り込むように移動することはない。そのため、外箱係止手段２６や蓋起こし手段２３の入り込みを規制する目的でこの当て板３４を用いる必要は必ずしもなく、収納物を直接包装する包装紙によって内箱係止手段や外箱係止手段と収納物との干渉を防止するようにしてもよい。
【００５３】
本包装容器１では上述のように内箱３を上昇させることで開閉蓋１２が開いて内箱３の取り出し口１１から収納物を取り出すことができる。そして、上昇した内箱３を降ろすには上記スライド操作口１０を通して内箱３の前側板１３をすり下ろす操作をすればよい。このとき、まず蓋起こし手段２３（内箱係止手段２５）と外箱係止手段２６とが係合した状態で内箱本体の部分が降下し、第一ヒンジ２２の位置が下がるので、開閉蓋１２が閉方向に回動する。そして、前記開閉蓋１２の回動と外箱２の後側板７の上端部に案内されながら蓋起こし手段２３の上部部分（第二ヒンジ２４と第三ヒンジ２７の間）が起き、さらに内箱３が降下することで、内箱係止手段２５と外箱係止手段２６との係合が解かれることとなり、内箱３の底面板１７と外箱２の底面板９とが接して内箱３の降下が止まり、開閉蓋１２も閉じた状態で外箱２の出し入れ口４に位置することとなる。
【００５４】
このように内箱３の上げ下げで開閉蓋１２が開閉するようになり、そして、内箱３の上昇時に際しても内箱３に対する不必要なすり上げ操作を内箱３自体が止まるため、開閉蓋１２の第一ヒンジ周りや蓋起こし手段の上部側に裂けなどを生じさせない良好な包装容器が得られる。
【００５５】
本包装容器１は上述したように紙巻きたばこを収納する紙製の包装容器であり、閉じた開閉蓋１２の自由端とこの自由端に対応する外箱２の前側板５の上端部との間からたばこの葉くずが漏れ出ないようにする工夫が施されている。
【００５６】
この葉くず止めでは、外箱２の前側板５の上端部に亘って第一の舌片３６を内箱３の内方に折り曲げ可能に連接し、さらに前記第一の舌片３６の自由端側の両側に配された脚状片３７を介してスライド板３８が連接されている（図１、図１１参照）。そして前記スライド板３８が前側板５の内面に沿って上下に移動可能で、脚状片３７それぞれの上下にあるヒンジ部分の曲げと開き、及び第一舌片３６の基端にある折り曲げ部分の曲げと開きを伴ないながら、前記第一舌片３６が伏した状態から起きた状態までの範囲で回動できるようにしている（図６〜図８参照）。
【００５７】
そして、葉くず止めの上記第一舌片３６は内箱３の上げ下げに連動して動くものであり、内箱３が上昇するときにその内箱３の前側板１３の上端部が上記脚状片３７の部分を下方から押し上げるようにしており、これによって第一舌片３６が起立して内箱３の上昇に邪魔にならないようにしている。また、内箱３が降下する際には、その内箱３の前側板１３の上端部であって外箱２の前側板５側に凸の係止凸片３９が、前記スライド板３８の端部に係止し、スライド板３８を下方に移動させるようにしており、スライド板３８が引き下ろされることで前記第一舌片３６が横に伏すように回動し、このときに開閉蓋１２の自由端が重なるように設けられているものである（図１、図６）。
【００５８】
（外箱ブランク）
図１１と図１２とは包装容器１の外箱２と内箱３のブランク４０、４１を示していて、それぞれ箱外方となる面が見えるように図示されている。図１１に示すように、外箱２にあっては、前側板５と底面板９と後側板７とが連接されており、前記後側板７には右側板６を得るための右側板パネル６ａ、左側板８を得るための左側板パネル８ａが連接され、前側板５には右側板６を得るための右側板パネル６ｂ、左側板８を得るための左側板パネル８ｂが連接されている。そして、右側板パネル６ａと左側板パネル８ａに連接しているフラップ６ｃ、８ｃを底面板９に重ねながら、右側板パネル６ａの外面側に右側面パネル６ｂを重ねるとともに、左側板パネル８ａの外面側に左側面パネル８ｂを重ねていて、所要の板同士の接合面を貼り合わせて前側板５と後側板７とが相対した直方体状で上部開放の外箱２の基本部分が形成される。
【００５９】
ブランク４０で示すように右側板パネル６ａ、左側板パネル８ａには前側板５の内面に接する当てパネル６ｄ、８ｄが連接されている。前側板５には右側板パネル６ｂに亘ってスライド操作口１０が開口され、前側板５の出し入れ口４側となる上端部に葉くず止めの第一舌片３６が連接され、上述したようにこの第一舌片３６に脚状片３７を介してスライド板３８が連接されている。また、後側板７の出し入れ口４側となる上端部には上述したように外箱係止手段２６が連接されている。
【００６０】
後側板７の両側にある右側板パネル６ａ、左側板パネル８ａの内、右側板パネル６ａではスライド操作口１０に対応する部分は切り欠かれていて、当てパネル６ｄも同様に短寸としている。
【００６１】
（内箱ブランク）
図１２のブランク４１に示すように内箱３は、前側板１３と底面板１７と後側板１５とが連接され、後側板１５には左側板１６を得るための左側板パネル１６ａ、右側板１４を得るための右側板パネル１４ａが連接され、前側板１３には左側板１６を得るための左側板パネル１６ｂ、右側板１４を得るための右側板パネル１４ｂ、前側板１３を内面側から補強する当てパネル１３ａが連接されている。そして、左側板パネル１６ｂと右側板パネル１４ｂに連接のフラップ１６ｃ、１４ｃを底面板１７に重ねながら、左側板パネル１６ａの外面側に左側板パネル１６ｂを重ねるとともに、右側板パネル１４ａの外面側に右側板パネル１４ｂを重ねていて、所要の板同士の接合面を貼り合わせて前側板１３と後側板１５とが相対した直方体状の内箱３の箱としての基本部分を形成している。当てパネル１３ａは折り返されて前側板１３の内面に重ね合わされている。
【００６２】
上述しているように内箱３は開閉蓋１２を有しているものであり、この開閉蓋１２は天面板１８が対にして天面板１８の幅方向に離れている後側板１９を介して上記後側板１５に連接し、天面板１８の後辺部分から前記後側板１５に亘るようにして上記蓋起こし手段２３が切り込み形成されている。なお、ブランクの状態で図示しているため、組み上げられた内箱３で内箱係止手段２５となる部分は折り返す前の状態で示されている。
【００６３】
開閉蓋１２を構成する他の板パネルとして、天面板１８の前縁側に下当てパネル１８ａが連接されているとともに、後側板１９に左右の側板２０、２１が連接され、左側板２１と右側板２０とのそれぞれに、前記天面板１８と下当てパネル１８ａとの間に配されるフラップ２１ａ、２０ａを連接している。図示するように前記下当てパネル１８ａには、開閉蓋１２の後面側（後側板１９、蓋起こし手段２３の上部）に対応する連結パネル１８ｂが連接され、さらにこの連結パネル１８ｂに、多数のスリットを入れて伸びを伴った曲げを許容するヒンジ１８ｃを介して上記当て板３４が連続し、当て板３４の両側に上記袖板３５が連接されている（図３参照）。
【００６４】
開閉蓋１２にあってもフラップ２０ａ、２１ａが天面板１８と下当てパネル１８ａとの間になるようにして組み起こされ、さらに連結パネル１８ｂを開閉蓋１２の後面に配し、当て板３４を内箱３の後側板１５における上述した蓋起こし手段２３側を覆うように配することで、この内箱３が組み起こされる。
【００６５】
（第二の実施の形態）
上記第一の実施の形態では、案内手段３１を内箱係止手段２５の一端部に一体にして設けたが、本発明はこれに限定されるものではなく、図１３から図１５に示している第二の実施の形態のようにすることも可能である。第一の実施の形態と同様に、第二の実施の形態も内箱係止手段２５と外箱係止手段２６とが係合し、内箱３を上昇させることで開閉蓋１２が開方向に回動するものである。そして、この第二の実施の形態では案内手段３１が備え付けられている箇所が相違しているとともに、この案内手段３１の配置に応じて外箱係止手段２６の形状が第一の実施の形態のもと若干相違している。それ以外の点については第一の実施の形態と同じであり、構成が同一の部分については説明を省略する。
【００６６】
（案内手段）
第二の実施の形態における案内手段３１は、図１３に示すように蓋起こし手段２３における対の脚状部２８の内、一方の脚状部２８の内端縁に連接されて内箱３の内方に折り返された板片からなるものである。そして、案内手段３１は、折り返した板片の先端部が蓋起こし手段２３の側方にある縦の切り込み縁の位置を経て内箱３の後側板１５の内面に摺接可能にして接する長さを有している。また、この案内手段３１の形成は、前記一方の脚状部２８の内端縁を折り部分として連続するように対の脚状部２８の間を略コ字状に切り込んでいて、切り込み形成された板片を前述のように後側板１５の内面側に折り返すことで形成されている。
【００６７】
脚状部２８の内端縁に連続して後側板１５の内面に摺接可能に接している上記案内手段３１は、内箱係止手段２５が後側板１５に対して相対的に降下する際、内箱係止手段２５がストッパー３０に向けて降下するように案内し、内箱係止手段２５が後側板１５の外面側へ下がらないようにするものである。即ち、内箱係止手段２５をストッパー３０に向けて降下するように案内するため、内箱係止手段２５の内側に下端部が入るようにして係止している外箱係止手段２６のストッパー対応部分３３も、この案内手段３１によってストッパー３０に向けて下がるように案内されるものとなっている。
【００６８】
内箱３のすり上げ操作によって内箱係止手段２５が降下する際、蓋起こし手段２３が下がる勢いと、上記案内手段３１が後側板１５の内面に摺接していること、さらには折り返されている内箱係止手段２５の中央部分も外箱２の後側板７の内面に付勢状態で摺接するものとなっていることから、内箱係止手段２５の下縁がストッパー３０に達するときに、内箱係止手段２５が僅かながら後側板１５の内箱内方側に移動している状態となっている。そして、内箱係止手段２５に係止している外箱係止手段２６のストッパー対応部分３３がストッパー３０に当接することとなり、すり上げ操作を行なっても前記当接によって内箱３の上昇が規制される。
【００６９】
上述したように上記第一の実施の形態では、案内手段３１は、外方に折り返された内箱係止手段２５の一端部を延設し、その延設された凸片を内箱３の後側板１５の内面側に配置した形態としており、そのため、内箱係止手段２５に係合する外箱係止手段２６には、延設部分を跨ぐようにしたカット部３２が設けられている。一方、この第二の実施の形態にあっては、案内手段３１は上述したように脚状部２８から内箱内方に折り曲げてなる案内手段３１としているため、外箱係止手段２６と案内手段３１とは交差することはない。そのため、カット部は設けられていない。
【００７０】
（第二の実施の形態のブランク）
図１４と図１５とは第二の実施の形態の包装容器１の外箱２と内箱３とを得るためのブランク４０、４１を示している。ブランク４０、４１に関しても第一の実施の形態におけるブランクと構成が同一の部分については説明を省略する。即ち、案内手段３１を得るための構成が相違しており、本実施の形態では上述したように脚状部２８の間に略コ字状の切り込みを入れて案内手段パネル３１ａを切り込み形成し、箱組み起こしの際にこれを折り返すようにしている。内箱係止手段２５を得る方法も、上記第一の実施の形態と同様に蓋起こし手段２３の切り込み形成と同時に内箱係止手段２５とする部分を切り込んでおり、これを折り返すことで係止の役割を果たすこととなる。そして、外箱２での外箱係止手段２６についてもカット部は必要としないものとなっている。
【００７１】
（第三の実施の形態）
図１６から図１８は第三の実施の形態を示している。この例の蓋起こし手段２３では脚状部２８が一つとしていて、この脚状部２８に折り返しの内箱係止手段２５が形成されている。そして、内箱係止手段２５は右側部が後側板１５のほぼ中心線上となる長さとされていて、その右側部に側方に凸片からなる案内手段３１が設けられている。前記案内手段３１は、図示のようにストッパー３０の高さ位置を基端として後側板１５から上方に延設された舌片状の受け板４２に対して摺接可能にして接するものとされており、前記受け板４２の内箱の内方側である内面に重なっている。即ち、第一、第二の実施の形態での案内手段３１と同様に、この第三の実施の形態での案内手段３１も、内箱３の内面側となる面に摺接可能にして重なり、降下する内箱係止手段２５をストッパー３０の切り込み縁側に向けて下がるように案内するものである。
【００７２】
第三の実施の形態においては折り返された内箱係止手段２５に連接の案内手段３１と上記舌片状である受け板４２とが重なるため、受け板４２はやや外箱２の内面側（後側板７側）に傾斜している。そして、内箱係止手段２５に係合した外箱係止手段２６がストッパー３０に向けて下がるときには、ストッパー対応部分３３が受け板４２での内箱３の内方側に位置するものとなり、内箱係止手段２５がストッパー３０に当接することで、また内箱係止手段２５がストッパー位置から内箱３の内方側に僅かながら移動してストッパー対応部分３３がストッパー３０に当接することで、上述した実施の形態と同じように内箱３の上昇が規制される。この実施の形態では前記受け板４２の側部（右側板側）にある切り込み縁もストッパー３０としているものである。
【００７３】
（第三の実施の形態のブランク）
図１７と図１８は第三の実施の形態について外箱２と内箱３のブランク４０、４１を示している。他の実施の形態の包装容器１を得る上でブランクの構成が相違している部分について説明すれば、内箱係止手段２５となる部分は上記実施の形態のものと比べてほぼ半分位の長さのものであり、一つの脚状部２８に連接されている。そして、内箱係止手段２５の一側部に凸片を延設してこれが案内手段３１となるようにしている。さらに前記脚状部２８と内箱係止手段２５とに隣接するようにして上記受け板４２が切り込み形成されており、係止機能を有する内箱係止手段２５を得るには、この内箱係止手段２５の部分を折り返して、案内手段３１が前記受け板４２の内面側となるようにしているものである。
【００７４】
（第四の実施の形態）
図１９から図２１は第四の実施の形態を示している。この実施の形態にあっては内箱係止手段２５の下端から下方に延設された案内手段３１を有しているものである。そして、この下向きに凸の案内手段３１はストッパー３０としている切り込み縁の位置から後側板１５の内面に摺接可能にして重なるものであり、蓋起こし手段２３が降下するに伴って内箱係止手段２５を前記ストッパー３０側に向けて案内し、内箱係止手段２５がストッパー３０に近接する時点ではそのストッパー３０の位置からやや内箱３の内方側に向けて案内するものである。
【００７５】
このように下向き凸の案内手段３１にあっては、ストッパー３０の位置から後側板１５の内面に摺接可能に重なり、内箱係止手段２５がストッパー３０の位置に近接する際にはその内箱係止手段２５を内箱３の内方側に案内することから、内箱係止手段２５に係合している外箱係止手段２６のストッパー対応部分３３もストッパー３０に向けて案内するものとなる。そして、この実施の形態では、外箱係止手段２６が降下下限位置に近づくときは内箱係止手段２５が後側板１５の内面側に案内されているので、ストッパー対応部分３３はストッパー３０の切り込み縁と交差する状態で当接し、これによって内箱３の上昇が規制されるものとしている。
【００７６】
（第四の実施の形態のブランク）
図２０と図２１は第四の実施の形態について外箱２と内箱３のブランク４０、４１を示している。他の実施の形態の包装容器１を得る上でブランクの構成が相違している部分を説明すれば、この実施の形態での内箱３の内箱係止手段２５において、案内手段３１とする凸片が、折り返し前の内箱係止手段２５から上記対の脚状部２８の間の空所に山形状にして切り込み形成されているものである。そして、内箱係止手段２５を外箱２側にして上方に向けて折り返すことで、後側板１５に摺接する下向き凸の案内手段３１が形成される。なお、本実施の形態において前記案内手段３１を山形状にしているが、後側板１５の内面に摺接する形態であれば特にその形状は限定されない。
【００７７】
（第五の実施の形態）
図２２から図２４は第五の実施の形態を示している。第五の実施の形態での内箱係止手段２５は、蓋起こし手段２３の幅方向でこの蓋起こし手段２３の中心側にして外箱２側へ折り返した折り返し片４３の上端部４３ａからなり、その上端部４３ａの形状によって係止機能が付与されてなるものである。図示されているように蓋起こし手段２３の両側に配された折り返し片４３の上端部４３ａは、折り元から外端部側にかけて上方に向けて傾斜していて、この内箱係止手段２５それぞれが蓋起こし手段２３の中心側に折り返されていることで脚状部２８から前記上端部４３ａにかけて略レ字状の係止部分となり、この略レ状とした係止部分が内箱係止手段２５として形成されている。
【００７８】
そして、上記内箱係止手段２５を一体としている折り返し片４３は内箱３の後側板１５の外方側に位置するように折り返されていて、この折り返し片４３の折り元で後側板１５の外方側に開こうとする作用が生じている。そのため、包装容器１の形態では、折り返し片４３が外箱２の後側板７の内面に摺接可能な状態で当接し、その反力によって内箱係止手段２５を後側板１５（内箱３）の内方側に付勢する作用を生じさせている。
【００７９】
この蓋起こし手段２３にあっても、図示されているように左右側方、及び下方が開口とされており、上記実施の形態と同様にこの内箱係止手段２５は後側板１５に対して相対的に降下可能となっている。そして、内箱３の上昇によって内箱係止手段２５に係合する外箱係止手段２６は、折り返し片４３の上端部４３ａに接することで折り元側に案内されて確実な係合状態が形成される。
【００８０】
上述したように内箱係止手段２５を一体として有する折り返し片４３は、外箱２の後側板７の内面に当接して内箱係止手段２５を内箱３の後側板１５の内面側に位置するように付勢しているものであり、内箱係止手段２５を一体とした折り返し片４３自体が案内手段３１を兼ねている。即ち、前記折り返し片４３に外箱係止手段２６が係止した状態で蓋起こし手段２３が下方に相対移動した際に、内箱係止手段２５とこれに係合している外箱係止手段２６とを後側板１５の内面側へと案内するように設けられている。
【００８１】
この第五の実施の形態において、降下する外箱係止手段２６が当接するストッパー３０は折り返し片４３を切り込み形成して折り起こしたことにより得られる開口部分の下縁側の切り込み縁からなるものである。よって、この第五の実施の形態でも上記実施の形態と同じく内箱係止手段２５の高さ位置の下方に前記ストッパー３０が切り込み縁を上端縁として形成されていて、蓋起こし手段２３の左右であって内箱３の側辺側へ偏倚した位置にある。このように左右のストッパー３０の間が開いているが、勿論、ストッパー３０の最外端間隔であるストッパーの長さより外箱係止手段２６の幅は大きいものである。
【００８２】
そして、外箱係止手段２６の蓋起こし手段２３に応じる部分が上記内箱係止手段２５との係合により内箱３の後側板１５の内面側へと案内される状態で降下することから、外箱係止手段２６のストッパー対応部分３３それぞれはストッパー３０の上端縁である切り込み縁に対して交差する配置でストッパー３０上へと降りていき、このストッパー３０に当接することで内箱３の上昇が規制されるようにしている。
【００８３】
（第五の実施の形態のブランク）
図２３と図２４は第五の実施の形態について外箱２と内箱３のブランク４０、４１を示している。他の実施の形態の包装容器１を得る上でブランクの構成が相違している部分を説明すれば、この実施の形態での内箱３の内箱係止手段２５とする折り返し片４３が蓋起こし手段２３の左右に向けて延設されていて、蓋起こし手段側方の後側板１５の領域中に及ぶようにして切り込み形成されている。そして上述したように折り返し片４３の上端部４３ａが折り返し片４３の折り元側から上方に向けて傾斜していて、折り返し片４３が折り返されて前記上端部４３ａが内箱係止手段２５となるとともに、折り返し片４３にて案内手段３１が形成されるようにしている。
【００８４】
（第六の実施の形態）
図２５から図２７は第六の実施の形態を示している。第一の実施の形態では蓋起こし手段２３の下部を折り返して内箱係止手段２５が形成され、さらにその内箱係止手段２５の一側部を側方に延設して凸片にて案内手段３１を形成しているが、この第六の実施の形態では内箱係止手段２５の両側部それぞれに凸片が設けられていて、その凸片それぞれにて案内手段３１を形成しているものである。この第六の実施の形態では内箱係止手段２５の両側に案内手段３１を備えているので、内箱係止手段２５と外箱係止手段２６のストッパー対応部分３３とをストッパー３０側に案内することがより適正に行なえるものとなっている。
【００８５】
さらにこの第六の実施の形態では、内箱３に、上記内箱係止手段２５に対して外箱２側となる方向から重ね合わされている第二の案内手段４４を設けている。前記第二の案内手段４４は、内箱３の後側板１５での内箱係止手段２５の下方となる部分を下に凸の略Ｕ字状に切り込み、内箱係止手段２５の下方の開口縁の近傍位置を連結部分として下方から内箱外方を経て上方へと回転させて起こした舌片からなるものである。
【００８６】
舌片の基端回転部分となる前記連結部分はその形状が小さく、舌片の基端回転部分が、内箱係止手段２５の下方の前記開口縁と高さがほぼ揃うように設けられているので、この第二の案内手段４４は、ストッパー３０の高さ位置を基端としたものとなっている。
【００８７】
さらに、第二の案内手段４４が若干の開きがある内箱係止手段２５に重なることによって、この第二の案内手段４４は、外箱２と組み合わされた状態では外箱２の後側板７の内面に上端が当接してほぼ起立した状態となっている。よって、上述したように内箱３の上昇に際して内箱係止手段２５と外箱係止手段２６とが係合し、外箱係止手段２６が係合した状態の内箱係止手段２５は、降下する際にこの第二の案内手段４４に摺接しながら下方に移動（相対移動）するように設けられている。
【００８８】
そして、第二の案内手段４４は、上述したようにストッパー３０の高さ位置から立ち上がるとともに、図示のように両側をストッパー３０とされていることから、外箱係止手段２６が係合した状態の内箱係止手段２５が第二の案内手段４４の内箱内方側の面に案内されて、ストッパー３０に近づき、内箱３の内方側に寄った状態で下方へと案内される。その結果、外箱係止手段２６のストッパー対応部分３３が、ストッパー３０と交差する状態で当接することとなり、内箱３の上昇が止められる。
【００８９】
（第六の実施の形態のブランク）
図２６と図２７とは第六の実施の形態における外箱２と内箱３のブランク４０、４１を示しているものであって、上記案内手段３１と第二の案内手段４４が得られる部分を示している。即ち、第六の実施の形態における内箱３での案内手段３１は、内箱係止手段２５の両側部を側方に延設して凸の舌片が得られるように切り込み形成し、内箱係止手段２５が折り返されて形成される際にこの案内手段３１も同時に形成され、それぞれを内箱３の後側板１５の内面側に摺接可能に係止させるようにしている。また、第二の案内手段４４にあっては上述したようにストッパー３０となる切り込み縁の位置に端部が近接するようにして略Ｕ字状の切り込み４４ａが設けられており、この切り込み４４ａにより得られた舌片部分を上述のように立ち上げることで第二の案内手段４４が得られる。
【００９０】
上記各実施の形態では胴周りのコーナーが角立ったものを示したが、本発明はこの実施の形態に限定されるものではなく、小さな丸味の付いたコーナーとされているものであってもよい。また、内箱３のスライド操作口１０に対応する部分について指掛かりを向上させるためにエンボス加工を施すようにしてもよい。
【００９１】
さらに上記各実施の形態における内箱３は胴部自体を四方の側板で囲んでなるものが例示されているが、これに限定されるものではない。例えば外箱２の前側板５に対応する面も取り出し口に連続する開放部分とした略舟型状としてもよく、この場合、スライド操作口１０を外箱２の左側板や右側板に設け、そのスライド操作口１０から表出する内箱３の左側板や右側板を指先で摺ることができるようにすればよい。
【００９２】
上記各実施の形態においてスライド操作口１０は前側板５から右側板６の二側板にかけて設けられているが、スライド操作口１０の位置は特に限定されるものではない。例えば、右側板６や左側板８にこのスライド操作口１０を設けるようにすることも可能である。また、各包装容器は紙製のものとして説明したが、包装容器を得るための包装材料が紙である必要はない。
【符号の説明】
【００９３】
１…包装容器
２…外箱
３…内箱
４…出し入れ口
５…外箱の前側板
６…外箱の右側板
７…外箱の後側板
８…外箱の左側板
９…外箱の底面板
１０…スライド操作口
１１…取り出し口
１２…開閉蓋
１３…内箱の前側板
１４…内箱の右側板
１５…内箱の後側板
１６…内箱の左側板
１７…内箱の底面板
１８ｃ…ヒンジ
２２…第一ヒンジ
２３…蓋起こし手段
２４…第二ヒンジ
２５…内箱係止手段
２６…外箱係止手段
２７…第三ヒンジ
２９…降下下限位置
３０…ストッパー
３１…案内手段
３２…カット部
３３…ストッパー対応部分
３４…当て板
４２…受け板
４３…折り返し片
４３ａ…折り返し片の上端部
４４…第二の案内手段
【図１】
0005891053.tif 000002
【図２】
0005891053.tif 000003
【図３】
0005891053.tif 000004
【図４】
0005891053.tif 000005
【図５】
0005891053.tif 000006
【図６】
0005891053.tif 000007
【図７】
0005891053.tif 000008
【図８】
0005891053.tif 000009
【図９】
0005891053.tif 000010
【図１０】
0005891053.tif 000011
【図１１】
0005891053.tif 000012
【図１２】
0005891053.tif 000013
【図１３】
0005891053.tif 000014
【図１４】
0005891053.tif 000015
【図１５】
0005891053.tif 000016
【図１６】
0005891053.tif 000017
【図１７】
0005891053.tif 000018
【図１８】
0005891053.tif 000019
【図１９】
0005891053.tif 000020
【図２０】
0005891053.tif 000021
【図２１】
0005891053.tif 000022
【図２２】
0005891053.tif 000023
【図２３】
0005891053.tif 000024
【図２４】
0005891053.tif 000025
【図２５】
0005891053.tif 000026
【図２６】
0005891053.tif 000027
【図２７】
0005891053.tif 000028
【図２８】
0005891053.tif 000029
【図２９】
0005891053.tif 000030
【図３０】
0005891053.tif 000031
【図３１】
0005891053.tif 000032
【図３２】
0005891053.tif 000033